(57)【要約】【課題】  変化に富んだ、面白みを有する絵馬を提供する。【解決手段】  絵馬の上部に孔部５０を配設し、表面図形を、少なくとも孔部配設位置から水が流出する瀧の図形とし、水の落ち口部分にも孔があるかのように表し、更に、瀧の下部には瀧登りをしようとする魚（鯉）を表し、裏面図形は、孔部配設位置から飛翔する龍の図形を有し、絵馬の上部に龍の胴体が孔部から出てくるかの如くに表すことにより、恰も孔部を登龍門と見なして大願成就を極めて容易に想起できる絵柄とすることができ、合格祈願等の絵馬に最適なものとできる。【選択図】      図１
0003129331.tif 000002
【実用新案登録請求の範囲】
【請求項１】
上部に設けられた孔部と、
前記孔部を介して裏面より対象物が出てくるかのように描かれた表面図形を有する表面と、
前記孔部を介して表面より表面とは異なる対象物が出てくるように描かれた裏面図形が描かれた裏面とから成ることを特徴とする絵馬。
【請求項２】
前記表面図形と前記裏面図形は互いに関連性を有する図形であり、一方面図形から他方面に物語性を有することを特徴とする請求項１記載の絵馬。
【請求項３】
前記図形は、諸願成就を想起させる図形であることを特徴とする請求項１又は請求項２に記載の絵馬。
【請求項４】
表面図形は、少なくとも前記孔部配設位置から水が流出する瀧の図形を有し、水の落ち口部分にも孔があるかのように表されていることを特徴とする請求項１乃至請求項３のいずれかに記載の絵馬。
【請求項５】
表面図形の瀧の下部には瀧登りをしようとする魚が表されていることを特徴とする請求項４記載の絵馬。
【請求項６】
裏面図形は、前記孔部配設位置から飛翔する龍の図形を有し、絵馬の上部に龍の胴体が孔部から出てくるかの如くに表されていることを特徴とする請求項４又は請求項５のいずれかに記載の絵馬。
【考案の詳細な説明】
【技術分野】
【０００１】
本考案は、絵馬の一部に孔部を配設し、この孔から対象物がでてくるかのように描かれた図形を有することにより、表現の幅が広がった絵馬に関するものである。
【背景技術】
【０００２】
絵馬（えま）は、神社や寺院に祈願するとき、および祈願した願いが叶ってそのお礼参りをするときに社寺に奉納する、絵が描かれた木の板である。個人で奉納する絵馬は小型で余白や裏面に祈願の内容や氏名などを書くようになっているものが社寺で販売されている。
【０００３】
この社寺で頒布されている従来の絵馬は、絵馬の板の一方の面つまり表である面に馬や干支その他何らかの図柄が描写されており、その図柄が描写されている反対の面つまり裏面が無描画であり、祈願文や礼文を奉納者が記載する面としてあてられていた。
【０００４】
そして、絵馬の奉納者は絵馬 全体の外部面たる前記裏面に祈願文や礼文を記載し社寺の絵馬 掛け所に絵馬を掛けて奉納する、とした状況になっている。
【考案の開示】
【考案が解決しようとする課題】
【０００５】
しかしながら、従来の絵馬は、表面の図柄も定型化しており、更に裏面が無描画であり、祈願文や礼文を記載の面としてあてられているのみであり、絵馬として定型化した面白みの乏しいものであった。
【０００６】
本考案は上述した課題を解決するためになされたもので、上述した課題を解決する一手段として、絵馬の一部に孔を設け、この孔を利用して表面に描く図形に変化を持たせると共に、裏面にも孔を利用して例えば上部に孔から出てきた図形を描くことにより、変化に富んだ、面白みを有する絵馬を提供することを目的とする。
【課題を解決するための手段】
【０００７】
上述した目的を達成する一手段として、本考案は例えば以下の構成を備える。即ち、上部に設けられた孔部と、前記孔部を介して裏面より対象物が出てくるかのように描かれた表面図形を有する表面と、前記孔部を介して表面より表面とは異なる対象物が出てくるように描かれた裏面図形が描かれた裏面とから成ることを特徴とする絵馬とする。
【０００８】
そして例えば、前記表面図形と前記裏面図形は互いに関連性を有する図形であり、一方面図形から他方面に物語性を有することを特徴とする。あるいは、前記図形は、諸願成就を想起させる図形であることを特徴とする。
【０００９】
また例えば、表面図形は、少なくとも前記孔部配設位置から水が流出する瀧の図形を有し、水の落ち口部分にも孔があるかのように表されていることを特徴とする。更に例えば、表面図形の瀧の下部には瀧登りをしようとする魚が表されていることを特徴とする。
【００１０】
また例えば、裏面図形は、前記孔部配設位置から飛翔する龍の図形を有し、絵馬の上部に龍の胴体が孔部から出てくるかの如くに表されていることを特徴とする。
【考案の効果】
【００１１】
本考案によれば、絵馬の一部に孔を設け、この孔を利用して表面に描く図形に変化を持たせると共に、裏面にも孔を利用して例えば上部に孔から出てきた図形を描くことにより、変化に富んだ、面白みを有する絵馬を提供することができる。
【考案を実施するための最良の形態】
【００１２】
以下、図面を参照して本考案に係る一考案の実施の形態例を詳細に説明する。図１は本考案に係る一考案の実施の形態例の絵馬の表面を説明するための図、図２は本実施の形態例の絵馬の裏面を説明するための図である。
【００１３】
図１において、１０は本実施の形態例の絵馬であり、５０は絵馬１０に空けた孔部、２０は絵馬表面に表された図形、４０は当該絵馬１０を吊したり固定したりする際の紐を通す紐通し孔である。
【００１４】
本実施の形態例では、表面の図形は、孔部５０の中から、対象物たる水が流れ出てくるかのように描かれており、少なくとも孔部５０の配設位置から水が流出する瀧の図形を有し、水の落ち口部分にも孔があるかのように表されて孔部５０が５角形であるかの様に表されており、流れ出る水の上部が実際の孔になっている。
また、この様に孔の形状を５角形となるように表したのは、５角形状の形状が合格という意味に通じる形状として形成されているものでもある。
【００１５】
この様に、５角形の孔から勢いよく水が流れ出る瀧の図柄でこの孔が恰も登龍門であるかのように表されている。そして、瀧壷にはこれから瀧登りをしようとする魚、例えば鯉が表されており、この魚の上には天神さまが乗っている（２０）。
【００１６】
この図柄は、絵馬を奉納しようとする祈願者を鯉に見立て、その鯉に対して天神さまが力を与え、瀧登りと言う目標に向かって努力する鯉の後押しを行っていることが記載されていると見ることができ、祈願者に勇気と力を与え得ることを認識できる図柄となっている。
【００１７】
そして図２に示す裏面では、表面とは全く異なる図研が描かれており、表面では孔から水が流れ出る図形であったが、一変して、龍が孔（表面同様５角形の孔）から出でて空に飛翔していく図形が表されている。
【００１８】
この裏面の図形は、願主の願いが叶って目的が達成される状態を想起させる縁起の良い図案である。以上の図案は、絵馬に空けられた孔を登龍門に見立て、表面の図形と裏面の図形が連係して物語性を構築できる図形となっており、全体では目標に向かって努力している鯉に見立てた願主に対して天神さまが力を与え、願主の努力と天神さまの力添えで登龍門を突破し、大願成就を果たして龍となって天に羽ばたくという非常に縁起の良い様を描くことが可能に構成されている。
【００１９】
そして、この縁起の良い、龍の図形の下部に願主の名前や願いを書き込むことができ、前向きな気持ちを保ちながら絵馬を奉納することができる。特に、孔部を登龍門に見立てってことを突破することは即ち学業成就・試験合格などがなったことであるから、これらを祈願する絵馬に適用することにより、願主のやる気をより一層想起することができ、祈願に適した絵馬とできる。
【００２０】
以上説明したように、絵馬１０の上部に設けられた孔部５０と、孔部５０を介して裏面より対象物が出てくるかのように描かれた表面図形を有する表面と、孔部５０を介して表面より表面とは異なる対象物が出てくるように描かれた裏面図形が描かれた裏面とから成ることにより、孔部５０を介して表面図形と裏面図形を容易に関連付けることができる。
【００２１】
また、表面図形と裏面図形は互いに関連性を有する図形としても、孔部があることからごく自然に受け入れることができ、デザインの幅が大幅に広がる。このため、容易に一方面図形から他方面に物語性を与えることができる。
【００２２】
前記図形を諸願成就を想起させる図形とすることで、願主の気力を充実させることができ、大願成就に画より確実になる。
【００２３】
更に、表面図形を、少なくとも孔部配設位置から水が流出する瀧の図形とし、水の落ち口部分にも孔があるかのように表し、更に、瀧の下部には瀧登りをしようとする魚（鯉）を表し、裏面図形は、孔部配設位置から飛翔する龍の図形を有し、絵馬の上部に龍の胴体が孔部から出てくるかの如くに表すことにより、恰も孔部を登龍門と見なして大願成就を極めて容易に想起できる絵柄とすることにより、合格祈願の絵馬に最適なものとできる。
【００２４】
なお、以上の説明では絵馬に空けられた孔部を登竜門に模して表面の図形と裏面の図形を連係させて描いたが、本考案は以上の例に限定されるものではなく、孔部を画面展開のきっかけとして表面を話の主要画面、裏面を話の結末画面として構築し、縁結びであれば離れて表されたもの同士が孔をくぐることで結ばれる等の図形とできる。
【００２５】
この様に、絵馬に孔を設けたことにより、表面の描いた図形のみでなく裏面にも図形を描くことができ、しかも、容易に表面の図形と裏面の図形を関連付けたものと認識させることが可能な絵柄の幅が広がった、種々の絵馬を提供できる。
【図面の簡単な説明】
【００２６】
【図１】本考案に係る一考案の実施の形態例の絵馬、特に表面を説明するための図である。
【図２】本実施の形態例の絵馬、特に裏面を説明するための図である。
【符号の説明】
【００２７】
１０    絵馬
２０    表面の絵柄（瀧登りをしようとする鯉）
３０    裏面の絵柄（孔部から天に昇る龍）
４０    紐通し孔
５０    孔部
【図１】
0003129331.tif 000003
【図２】
0003129331.tif 000004